【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
電極を有する放電灯に駆動電力を供給する放電灯駆動部と、
前記放電灯に関する情報を記憶する記憶部と、
前記放電灯駆動部を制御する制御部と、
を備え、
前記制御部は、前記放電灯に第１駆動電力を供給する定常点灯駆動と、前記放電灯に前記第１駆動電力よりも大きい第２駆動電力を供給する高電力駆動と、を実行可能であり、
前記制御部は、所定の設定タイミングにおいて、前記記憶部に記憶された前記高電力駆動に関する第１情報に基づいて前記高電力駆動の第１実行情報を設定し、前記第１実行情報に従って前記放電灯駆動部を制御することを特徴とする放電灯駆動装置。
【請求項２】
前記第１情報は、前記高電力駆動の終了後から次の前記設定タイミングまでの間における前記放電灯の点灯時間を含む、請求項１に記載の放電灯駆動装置。
【請求項３】
前記第１情報は、前記高電力駆動時において検出された前記放電灯の電極間電圧を含む、請求項１または２に記載の放電灯駆動装置。
【請求項４】
前記第１情報は、前記高電力駆動時の前記放電灯に供給される前記第２駆動電力を含む、請求項１から３のいずれか一項に記載の放電灯駆動装置。
【請求項５】
前記第１情報は、前記高電力駆動の駆動電流の波形を含む、請求項１から４のいずれか一項に記載の放電灯駆動装置。
【請求項６】
前記制御部は、前記設定タイミングにおける前記放電灯の点灯状態に関する第２情報に基づいて、前記第１実行情報を設定する、請求項１から５のいずれか一項に記載の放電灯駆動装置。
【請求項７】
前記第２情報は、前記設定タイミングにおいて検出された前記放電灯の電極間電圧、および前記設定タイミングにおける前記放電灯の累積点灯時間のうち少なくとも一方を含む、請求項６に記載の放電灯駆動装置。
【請求項８】
前記制御部は、前記高電力駆動の終了後から次の前記設定タイミングまでの間に実行される前記放電灯の駆動に関する第３情報に基づいて、前記第１実行情報を設定する、請求項１から７のいずれか一項に記載の放電灯駆動装置。
【請求項９】
前記第３情報は、前記放電灯に供給される前記駆動電力、および前回の放電灯点灯時の前記放電灯の電極間電圧のうち少なくとも一方を含む、請求項８に記載の放電灯駆動装置。
【請求項１０】
前記第１実行情報は、前記高電力駆動の実行が抑制される抑制時間、および前記高電力駆動の実行の有無のうち少なくとも一方を含む、請求項１から９のいずれか一項に記載の放電灯駆動装置。
【請求項１１】
前記第１実行情報は、前記高電力駆動の駆動パラメーターとして、前記高電力駆動の前記第２駆動電力、前記高電力駆動において前記放電灯に供給される駆動電流波形、および前記高電力駆動の実行時間のうち少なくともいずれかを含む、請求項１から１０のいずれか一項に記載の放電灯駆動装置。
【請求項１２】
前記放電灯が点灯してから前記定常点灯駆動が行われる定常点灯期間に移行するまでの立上期間は、前記駆動電力が前記第２駆動電力に向けて増加する第１立上期間と、前記第２駆動電力が前記放電灯に供給される第２立上期間と、を有し、
前記制御部は、前記第２立上期間において、前記高電力駆動を実行するように前記放電灯駆動部を制御する、請求項１から１１のいずれか一項に記載の放電灯駆動装置。
【請求項１３】
前記制御部は、前記定常点灯駆動が行われる定常点灯期間において、前記高電力駆動を実行するように前記放電灯駆動部を制御する、請求項１から１１のいずれか一項に記載の放電灯駆動装置。
【請求項１４】
前記第２駆動電力は、前記放電灯の電極間電圧が大きくなるに従って大きく設定される、請求項１から１３のいずれか一項に記載の放電灯駆動装置。
【請求項１５】
前記制御部は、前記電極の先端に形成される突起の成長を促進する突起形成駆動を実行可能であり、
前記高電力駆動を実行した後で、かつ、前記定常点灯駆動を実行する前に、前記突起形成駆動を実行する、請求項１から１４のいずれか一項に記載の放電灯駆動装置。
【請求項１６】
前記突起形成駆動の駆動電流は、１００Ｈｚ以上、１０００Ｈｚ以下の第１交流電流を含み、
前記高電力駆動の駆動電流は、１００Ｈｚ以上、１０００Ｈｚ以下の第２交流電流を含み、
前記突起形成駆動の実行時間に対して前記第１交流電流が供給される時間の割合は、前記高電力駆動の実行時間に対して前記第２交流電流が供給される時間の割合よりも大きい、請求項１５に記載の放電灯駆動装置。
【請求項１７】
前記定常点灯駆動の駆動電流は、１００Ｈｚ以上、１０００Ｈｚ以下の第３交流電流を含み、
前記突起形成駆動の実行時間に対して前記第１交流電流が供給される時間の割合は、前記定常点灯駆動の実行時間に対して前記第３交流電流が供給される時間の割合よりも大きい、請求項１６に記載の放電灯駆動装置。
【請求項１８】
前記制御部は、前記突起形成駆動において、前記第１駆動電力よりも大きく、かつ、前記第２駆動電力よりも小さい第３駆動電力が前記放電灯に供給されるように前記放電灯駆動部を制御する、請求項１５から１７のいずれか一項に記載の放電灯駆動装置。
【請求項１９】
前記制御部は、前記第１情報に基づいて、前記突起形成駆動の第２実行情報を設定する、請求項１５から１８のいずれか一項に記載の放電灯駆動装置。
【請求項２０】
前記制御部は、前記放電灯の劣化情報に基づいて、前記突起形成駆動の第２実行情報を設定する、請求項１５から１９のいずれか一項に記載の放電灯駆動装置。
【請求項２１】
前記第２実行情報は、前記突起形成駆動の実行時間を含む、請求項１９または２０に記載の放電灯駆動装置。
【請求項２２】
前記突起形成駆動の駆動電流は、１００Ｈｚ以上、１０００Ｈｚ以下の第１交流電流を含み、
前記第２実行情報は、前記突起形成駆動の実行時間に対して前記第１交流電流が供給される時間の割合を含む、請求項１９から２１のいずれか一項に記載の放電灯駆動装置。
【請求項２３】
光を射出する放電灯と、
請求項１から２２のいずれか一項に記載の放電灯駆動装置と、
を備えることを特徴とする光源装置。
【請求項２４】
請求項２３に記載の光源装置と、
前記光源装置から射出される光を映像信号に応じて変調する光変調素子と、
前記光変調素子により変調された光を投射する投射光学系と、
を備えることを特徴とするプロジェクター。
【請求項２５】
放電灯に駆動電力を供給して前記放電灯を駆動させる放電灯駆動方法であって、
前記放電灯に第１駆動電力を供給する定常点灯駆動を実行するステップと、
前記放電灯に前記第１駆動電力よりも大きい第２駆動電力を供給する高電力駆動を実行するステップと、
を備え、
所定の設定タイミングにおいて、前記高電力駆動に関する第１情報に基づいて前記高電力駆動の第１実行情報を設定することを特徴とする放電灯駆動方法。
【手続補正２】
【補正対象書類名】明細書
【補正対象項目名】００４５
【補正方法】変更
【補正の内容】
【００４５】
本発明の放電灯駆動方法の一つの態様は、電極を有する放電灯に第１駆動電力を供給する定常点灯駆動と、前記放電灯に前記第１駆動電力よりも大きい第２駆動電力を供給する高電力駆動と、を含む放電灯駆動方法であって、所定の設定タイミングにおいて、前記高電力駆動に関する第１情報に基づいて前記高電力駆動の第１実行情報を設定することを特徴とする。
本発明の放電灯駆動方法の一つの態様は、放電灯に駆動電力を供給して前記放電灯を駆動させる放電灯駆動方法であって、前記放電灯に第１駆動電力を供給する定常点灯駆動を実行するステップと、前記放電灯に前記第１駆動電力よりも大きい第２駆動電力を供給する高電力駆動を実行するステップと、を備え、所定の設定タイミングにおいて、前記高電力駆動に関する第１情報に基づいて前記高電力駆動の第１実行情報を設定することを特徴とする。